(57)【要約】      （修正有）【課題】通常は開閉座板を閉じた状態で腰かけることができ、床の清掃時などには、開閉座板を開いてテーブルの天板などに係止部を引掛けることで床から浮いた状態とすることができることで、容易に清掃を行うことが可能となるスツールを提供する。【解決手段】座板の一部を開閉可能とし、その開閉座板の裏面にテーブル等に引掛けるための係止部３を備える。開閉座板を閉じた状態では、スツール１００として腰かけることが可能となり、開いた状態で係止部をテーブル等に引掛けることで床から浮かせることを可能とする。【選択図】図１
0003192579.tif 000002
【実用新案登録請求の範囲】
【請求項１】
座面を形成するための複数の座板を備えるスツールであって、
前記複数の座板の少なくとも１枚に開閉する機能を設け、
且つ前記開閉可能な座板（以下、開閉座板）の裏面に係止部を設け、
前記開閉座板を閉じた状態として当該スツールの座面に腰掛けることを可能とし、前記開閉座板を開いた状態として係止部を掛けることで当該スツールを床から浮かせた状態とする
ことを特徴とするスツール
【請求項２】
前記係止部は、前記開閉座板を開いた状態において、当該スツールの重心となる位置に設けることを特徴とする請求項１のスツール
【請求項３】
前記開閉座板は、開閉自在となるように隣接する座板と軸ピンにて連結されることを特徴とする請求項１乃至２のいずれか一項に記載のスツール
【請求項４】
前記開閉座板は、開閉自在となるように、各座板を裏面で連結する支持部に蝶番で連結されることを特徴とする請求項１乃至２のいずれか一項に記載のスツール
【考案の詳細な説明】
【技術分野】
【０００１】
本考案は、スツール（背もたれや肘掛などを備えていない椅子）に関する技術である。
【背景技術】
【０００２】
一般に椅子やスツールは、テーブル等の前に利用者が腰かけるために床の上に置いて利用される。そのため、床の清掃等の際には、その椅子やスツールを左右に移動させたりテーブル等の天板の上に載せたりと大きな動作を必要とする。しかし、床に移動するスペースが無い場合や、テーブル上に既に他の物が置かれているためスペースが無い場合は、容易に清掃等を行うことが出来ない。また、非力な女性や子供ではテーブル上などに高く持ち上げるなどが出来ない場合が生じる。
【０００３】
これらを解決する技術として、例えば特許文献１及び２、又は非特許文献１に示されている。
【０００４】
特許文献１は、折りたたみ椅子を閉じた状態で且つ、床から浮いた状態で保管するために、家具等に引掛けるフックを有する技術が示されている。
【０００５】
特許文献２は、清掃時に椅子を保持させたまま容易に移動することができる天板付き家具の技術が示されている。
【０００６】
非特許文献１は、椅子の肘掛部をテーブルに引掛けることで、清掃時に椅子を床から浮かせることができる椅子の技術が示されている。
【先行技術文献】
【特許文献】
【０００７】
【特許文献１】特開２００４−１６２６６
【特許文献２】実開平６−２４５４７
【非特許文献】
【０００８】
【非特許文献１】URL：http://www.miyata-i.com/lineup/tablechair.cgi 検索日：２０１４年６月６日
【考案の概要】
【考案が解決しようとする課題】
【０００９】
しかしながら、特許文献１に記載の技術は、椅子本体を宙に浮いた状態で保管するためには、フックを引掛けるための突起やパイプ等をテーブルに予め備えておく必要がある。よって、そのような突起やパイプを備えていないテーブル等には、新たに取り付ける手間が掛かってしまう。
【００１０】
また、特許文献２に記載の技術は、テーブルなどの天板付き家具に椅子を保持するためには、椅子の座板や脚板を保持するための係止部を予め備えておく必要がある。
【００１１】
また、非特許文献１に記載の技術は、椅子の肘掛を利用した技術であり、肘掛を備えていないスツールには適用することが出来ない。
【課題を解決するための手段】
【００１２】
本考案の請求項１に記載のスツールは、複数の座板を有し、その中の少なくとも一つの座板を開閉可能とし、その開閉可能とした座板（以下、開閉座板）の裏面にテーブルの天板等に引掛けるための係止部を備えている。開閉座板を閉じた状態では、スツールとして腰かけることができ、開閉座板を開いた状態で係止部をテーブルの天板等に引掛けることで床から浮かせることができる。
【００１３】
本考案の請求項２に記載のスツールは、開閉座板の裏面の開閉座板を開いた状態において当該スツールの重心となる位置に係止部を備えている。
【００１４】
本考案の請求項３に記載のスツールは、開閉座板を開閉自在とするために、開閉座板が隣接する座板と軸ピンで連結されている。
【００１５】
本考案の請求項４に記載のスツールは、開閉座板を開閉自在とするために、開閉座板が各座板を裏面で連結する支持部に蝶番で連結されている。
【考案の効果】
【００１６】
本考案のスツールは、通常は開閉座板を閉じた状態で腰かけることができ、床の清掃時などには、開閉座板を開いてテーブルの天板などに係止部を引掛けることで床から浮いた状態とすることができることで、容易に清掃を行うことが可能となる。このとき、スツールの座板とテーブルの天板の短い距離を持ち上げるだけで、係止部を掛けることができるため、当然ながら非力な女性や子供なども行うことが可能となる。
【００１７】
すなわち、本考案のスツールは、従来技術（特許文献１及び２、非特許文献１）にかかる問題を解決し、床の清掃時などの作業者の負担を軽減することができる。
【００１８】
また、本考案のスツールは、開閉座板の裏面に設けた係止部を、開閉座板が開いた状態における当該スツールの重心に位置することにより、テーブルの天板等に係止部を引掛けた際に前後左右に傾くことなく、安定した姿勢を維持することができる。
【図面の簡単な説明】
【００１９】
【図１】本考案の実施例に係るスツールの開閉座板を開いた状態を示す斜視図である。
【図２】本考案の実施例に係るスツールの開閉座板を閉じた状態を示す斜視図である。
【図３】本考案の実施例に係るスツールをテーブルに引掛けて床から浮いた状態を示す斜視図である。
【考案を実施するための形態】
【００２０】
以下、本考案の実施の形態を図に基づいて詳細に説明する。
【実施例】
【００２１】
図１は、本考案の実施例に係るスツール１００の開閉座板を開いた状態を示す斜視図である。
スツール１００は、３枚の座板１、４、５、これら座板を固定する２枚の支持板２、６、この支持板をつなぐ板７、４本の脚部８、脚部を繋ぎ固定する繋ぎ部９、１０、１１を備える。
座板４、５は、座板１を挟む形で３枚並んで構成され、且つ座板１、５は、２枚の支持板２、６に裏面を接着固定している。
座板１は、裏面を支持板２と蝶番で繋がれており、それを支点として開閉自在となる。更に座板１の裏面には、係止部３を備える。係止部３は、例えば座板の幅以下の長さの板や角材等を接着固定することで容易に備えることが可能である。また、係止部３は、スツール１００をテーブルの角等に引掛ける際等のフックとなる。
４本の脚部８は、それぞれを支持板２、６の下部に接着固定され、且つ脚部８の接地側に近い位置にて水平方向に繋ぎ部９、１０、１１で連結固定される。ここで、例えば繋ぎ部１１のように幅を広く持つ構成とすることで、利用者が足を乗せて使用することができる。
【００２２】
図２は、本考案の実施例に係るスツール１００の開閉座板を閉じた状態を示す斜視図である。
開閉座板1は蝶番を支点とし閉じた状態である。この時座板1は、左右に位置する固定座板４，５と並んで構成されることで一つの面となり、その上に腰掛けることが可能となる。
【００２３】
図３は、本考案の実施例に係るスツール１００の開閉座板を開いた状態で、テーブルに引掛けて吊るした場合を示す斜視図である。
１２はテーブル天板を示す。
スツール１００は開閉座板１を開くことにより、テーブル天板１２に係止部３を引っ掛け、吊り下げることが可能となる。
この図３において係止部３はスツール１００全体の重心に位置しており、開閉座板１を繋ぐ蝶番はこの重心の真下に位置するものである。
また、この重心の位置が蝶番の位置より前方、又は後方にある場合、座板１の傾きを斜めに固定することで係止部３が重心の位置を維持し、引っ掛けられたスツール１００全体のバランスがとれるように構成する。
【符号の説明】
【００２４】
１     座板
２     支持板
３     係止部
４     座板          
５     座板
６     支持板                  
７     支持板をつなぐ板
８     脚部
９     繋ぎ部
１０   繋ぎ部
１１   繋ぎ部
１２   テーブル天板
１００ スツール
【図１】
0003192579.tif 000003
【図２】
0003192579.tif 000004
【図３】
0003192579.tif 000005